(57)【特許請求の範囲】
【請求項１】
缶電極（１５１）を含むパルス発生器（１５０）と、
パルス発生器（１５０）に接続可能であるとともに、遠位コイル電極（１２０）及び近位コイル電極（１２２）を有するリード（１００）とを含むシステムであって、
遠位コイル電極（１２０）と缶電極（１５１）との間に第１の単極検知ベクトルが提供され、かつ近位コイル電極（１２２）と缶電極（１５１）との間に第２の単極検知ベクトルが提供されるように、両方のコイル電極が缶電極（１５１）から電気的に切り離され、かつ、
パルス発生器（１５０）が第１及び第２の単極検知ベクトルを用いて心室頻拍（ＶＴ）と上室性頻拍（ＳＶＴ）とを識別するように構成されるシステム。
【請求項２】
パルス発生器（１５０）は、遠位コイル電極（１２０）及び缶電極（１５１）と、近位コイル電極（１２２）及び缶電極（１５１）との間で単極検知ベクトルが交互に生じるように構成される請求項１に記載のシステム。
【請求項３】
パルス発生器（１５０）は、遠位コイル電極（１２０）と缶電極（１５１）との間の第１の単極検知ベクトル及び近位コイル電極（１２２）と缶電極（１５１）との間の第２の単極検知ベクトルが同時に発生するように構成される請求項１に記載のシステム。
【請求項４】
リード（１００）に沿って配置された先端ペーシング／検知電極（１３０）及びリング電極（１３２）をさらに有する請求項１に記載のシステム。
【請求項５】
リード（１００）は、近位コイル電極（１２２）が右心房に埋め込み可能であり、かつ遠位コイル電極（１２０）が右心室に埋め込み可能であるように構成される請求項１に記載のシステム。
【発明の詳細な説明】
【技術分野】
【０００１】
本発明は医療装置の分野に関し、より具体的には埋め込み型装置についての検出ベクトルに関する。
【背景技術】
【０００２】
心臓内又は心臓付近に埋め込まれるパルス発生器及び電極を有するリードは、ある種の生命に関わる不整脈を改善し、又は心臓収縮を刺激するために使用されてきた。心臓を正常な調律に戻すために、電気エネルギが電極を介して心臓に適用される。通常、リードは心室又は心房に接して配置されるか、心室又は心房の内部又はその付近に配置され、リードの端子ピンが、皮下に埋め込まれたペースメーカ又は除細動器に取り付けられる。パルス発生器は、電極を利用して、ある種の心事故を示し得る信号を心臓から受信するように構成されている。
【発明の概要】
【０００３】
システムは、缶電極を有するパルス発生器及びパルス発生器に接続可能なリードを含み、前記リードは遠位コイル電極及び近位コイル電極を含み、少なくとも一方のコイル電極と缶電極との間に単極検出ベクトルが提供されるように、両方のコイル電極が缶電極から電気的に切り離される。
【図面の簡単な説明】
【０００４】
【図１】一実施形態によるリード及びパルス発生器を示す。
【図２】一実施形態によるリード及びパルス発生器の概略図を示す。
【発明を実施するための形態】
【０００５】
下記の詳細な説明では、本明細書の一部を構成し、かつ本発明が実施され得る特定の実施形態を例示の目的で示した添付の図面について参照がなされている。これらの実施形態は、当業者が本発明を実施し得る程度に十分詳細に説明されており、他の実施形態が利用され得ること、及び本発明の範囲から逸脱することなく、構成上の変更がなされ得ることが理解されるべきである。したがって、下記の詳細な説明は限定的な意味にとられるべきではなく、本発明の範囲は添付の特許請求の範囲及びその同等物によって規定される。
【０００６】
図１はパルス発生器１５０に接続されたリード１００を示す。一実施形態において、リード１００は心臓に除細動ショックエネルギを付与するように適合される。ある実施形態は、心臓にペーシングパルスを付与する。パルス発生器１５０は、患者の胸部又は他の所望の部位に外科的に形成されたポケットの中に埋め込まれ得る。一般に、パルス発生器１５０は信号解析、処理、及び制御を行うための電子部品を含む。パルス発生器１５０は、ケース又は缶１５１に収納されるバッテリ、キャパシタ、及び他の部品等の電源を含み得る。デバイスは、心室の細動、頻拍、及び徐脈を含む心不整脈に対応する心室除細動、電気的除細動、及び心臓のペーシングのための様々なエネルギレベル及びタイミングの電気ショック及びパルスを決定し付与するための処理及び評価を提供するマイクロプロセッサを含み得る。
【０００７】
一実施形態において、リード１００は近位端部１０７から遠位端部１０９まで延びるとともに中間部１１１を有するリード本体１０５を含む。リード１００は、コイル状の導体や他の導体等の１つ以上の導体を含み、パルス発生器１５０から、右心室２０に埋め込まれるように構成された遠位除細動コイル電極１２０及び右心房２２又は上大静脈２４に埋め込まれるように構成された近位除細動コイル電極１２２のような１つ以上の電極にエネルギを伝導する。上大静脈及び右心房は心臓の上室部と称される。一実施形態において、リード１００は心室の検知及びペーシングのための先端電極１３０及び遠位リング電極１３２を含み得る。いくつかの実施形態は心房の検知及びペーシングのための１つ以上の近位リング電極を含む。
【０００８】
リード１００は、パルス発生器１５０に取り付けられるリード端子ピンをヘッダ位置に含み得る。このシステムは電極として作用するハウジング缶１５１を伴う単極システム、又は２つの電極１２０，１２２、又は電極１３０，１３２の間のパルスを伴う双極システムを含み得る。
【０００９】
本システムは上室性頻拍検知ベクトルを提供することを目的とする。本システムは、上室性頻拍（ＳＶＴ）と心室頻拍（ＶＴ）とをより良く識別する技術を提供する。例えば、過去の手法では、近位コイル１２２は缶電極１５１に電気的に接続され、遠位コイル１２０から、缶１５１及び近位コイル１２２の両方を用いて頻拍検知が行われた。しかし、この構成ではＳＶＴとＶＴとを識別することが困難であった。
【００１０】
一実施形態において、本システムは近位コイル電極１２２及び遠位コイル電極１２０から缶電極１５１を電気的に絶縁することで、上室性頻拍検知ベクトルを提供する。例えば、コイル電極１２２は缶電極１５１から電気的に絶縁され、近位コイル電極１２２から缶電極１５１までの単極検知ベクトルが存在し得る。一実施形態において、遠位コイル１２０から缶電極１５１までの単極検知ベクトルが存在し得る。一実施形態において、遠位コイル１２０から近位電極１２２までの検知ベクトルが存在し得る。これらの構成はＳＶＴとＶＴとを識別するのに役立つ。
【００１１】
他の実施形態において、本システムは、近位電極１２２を缶１５１から取り外し、１つ以上の電極１３０，１３２を利用した検知を提供する。
本明細書において、検知ベクトルという用語は、パルス発生器内の検知チャネルによって使用される２つの電極の位置によって説明される。検知チャネルは２つの電極間に存在する電気信号を用いて心臓活動を検知する。それぞれの検知ベクトルが、心臓信号のそれぞれの態様を検知チャネルに提示する。これらのベクトルは従来よりも大きなＳＶＴ乃至ＶＴの信号を生成するため、本実施形態において、検知ベクトルはＳＶＴを検知するための改善された性能を有する。
【００１２】
したがって、様々な実施例では、コイル電極１２０，１２２の少なくとも一方と缶電極１５１との間に単極検知ベクトルが提供されるように、両方のコイル電極が缶電極１５１から電気的に切り離されている。例えば、検知ベクトルは遠位電極１２０と缶電極１５１との間に提供されるか、又は検知ベクトルは近位電極１２２と缶電極１５１との間に提供される。別の実施例において、第２の検知ベクトルが遠位コイル電極１２０と近位コイル電極１２２との間に提供され得る。
【００１３】
別の実施例において、パルス発生器は、単極検知ベクトルが遠位コイル電極１２０及び缶電極１５１と、近位電極１２２及び缶電極１５１との間で交互に生じるように構成され得る。一実施形態において、パルス発生器は、遠位コイル電極１２０と缶電極１５１との間の第１の単極検知ベクトル、及び近位電極１２２と缶電極１５１との間の第２の単極検知ベクトルが同時に発生するように構成される。
【００１４】
パルス発生器は、上述した単極検知ベクトルを用いてＶＴとＳＶＴとを識別するように構成され得る。例えば、ＶＴとＳＶＴとを識別する一つの技術は、正常洞調律中のショックベクトル電気記録図とＲＶ率ベクトル電気記録図との間の相関関係のテンプレートを用いることである。不整脈が検出されると、そのテンプレートが進行中の調律と比較される。そして、その調律が既存のテンプレートと一致する場合、その調律の発生源は上室であると考えられ、デバイスは治療を行わない――上室の調律は正常洞調律と同じ伝導経路を辿っているためにＳＶＴ中の２つのベクトルの相互関係が正常洞調律テンプレートと一致するのであろうと仮定され、治療が与えられ得る。
【００１５】
しかし、調律中のベクトルの相互関係がテンプレートと一致しない場合、その調律はＶＴである（すなわち、その調律は正常伝導経路を用いていない）と推定される。
さらなる実施形態は、本明細書において説明する新たなベクトルから作成された異なるテンプレートを用いてもよい。この新たなテンプレートは、上述したテンプレートを用いて問題の症状を識別する能力をさらに提供し得る。したがって、より多くのベクトルの組合せからのより多くの情報は、より高い識別能力を生み出すであろう。
【００１６】
一実施形態において、電極１２２は、埋め込み後に右心房２２内又は上大静脈２４内に配置されるようにリードに沿って配置される。
図２は、一実施形態に基づく上述のシステムの一部の概略図を示す。リードはコイル電極１２２とパルス発生器１５０内の電子装置２０１との間に接続された第１の導体２０２を含む。リードは遠位コイル電極１２０と電子装置２０１との間に接続された第２の導体２０３をさらに含む。缶電極１５１もまた電子装置２０１に接続される。電子装置２０１は、電極１２２及び１２０が缶電極１５１から電気的に絶縁されるようにする電気経路を含む。既述したように、電子装置２０１は様々な接続を自由に取り外し、又は接続することが可能であるように構成され得る。
以下、上記実施形態から把握できる技術的思想を付記する。
（付記１）缶電極を含むパルス発生器と、
パルス発生器に接続可能であるとともに、遠位コイル電極及び近位コイル電極を有するリードとを含むシステムであって、
少なくとも一方のコイル電極と缶電極との間に単極検知ベクトルが提供されるように、両方のコイル電極が缶電極から電気的に切り離されるシステム。
（付記２）検知ベクトルが遠位電極と缶電極との間に提供される付記１に記載のシステム。
（付記３）検知ベクトルが近位電極と缶電極との間に提供される付記１に記載のシステム。
（付記４）遠位コイル電極と近位コイル電極との間に第２の検知ベクトルが提供される付記１に記載のシステム。
（付記５）パルス発生器は、遠位コイル電極及び缶電極と、近位電極及び缶電極との間で単極検知ベクトルが交互に生じるように構成される付記１に記載のシステム。
（付記６）パルス発生器は、遠位コイル電極と缶電極との間の第１の単極検知ベクトル及び近位電極と缶電極との間の第２の単極検知ベクトルが同時に発生するように構成される付記１に記載のシステム。
（付記７）パルス発生器は、単極検知ベクトルを用いてＶＴとＳＶＴとを識別するように構成される付記１に記載のシステム。
（付記８）缶電極を含むパルス発生器と、
パルス発生器に接続可能であるとともに、遠位コイル電極及び近位コイル電極を有し、かつ先端ペーシング／検知電極及びリング電極をさらに有するリードとを含むシステムであって、
遠位電極と缶電極との間に単極検知ベクトルが提供されるように、近位コイル電極及び遠位コイル電極が缶電極から電気的に切り離されるシステム。
（付記９）近位電極と缶電極との間に第２の単極検知ベクトルが提供される付記８に記載のシステム。
（付記１０）遠位コイル電極と近位コイル電極との間に第３の検知ベクトルが提供される付記８に記載のシステム。
（付記１１）リードは、近位コイル電極が右心房に埋め込み可能であり、かつ遠位コイル電極が右心室に埋め込み可能であるように構成される付記８に記載のシステム。
（付記１２）パルス発生器は、単極検知ベクトルを用いてＶＴとＳＶＴとを識別するように構成される付記８に記載のシステム。
（付記１３）ハウジング缶電極を含むパルス発生器と、
パルス発生器内に配置された電子装置と、
ハウジング缶電極と電子装置との間の電気的接続とを含む装置であって、
電子装置及び電気的接続は、リードがパルス発生器に接続されるとき、少なくとも一方のコイル電極と缶電極との間に単極検知ベクトルが提供されるように、リード上の遠位コイル電極が電気経路によってハウジング缶電極から電気的に切り離され、かつリード上の近位コイル電極がハウジング缶電極から電気的に切り離されるように構成されるシステム。
（付記１４）パルス発生器は、遠位コイル電極と缶電極との間に単極検知ベクトルを提供するように構成される付記１３に記載の装置。
（付記１５）パルス発生器は、近位電極と缶電極との間に単極検知ベクトルを提供するように構成される付記１３に記載の装置。
（付記１６）遠位コイル電極と近位コイル電極との間に第２の検知ベクトルが提供される付記１３に記載の装置。
（付記１７）パルス発生器は、単極検知ベクトルを用いてＶＴとＳＶＴとを識別するように構成される付記１３に記載の装置。
（付記１８）缶電極を含むパルス発生器を提供する工程と、
パルス発生器にリードを接続する工程であって、リードは缶電極から電気的に絶縁された少なくとも１つの近位コイル電極を含み、かつリードは電気的に絶縁された１つの遠位コイル電極を含む工程と、
近位コイル電極が右心房に配置され、かつ遠位コイル電極が右心室に配置されるようにリードを埋め込む工程と、
少なくとも１つのコイル電極と缶電極との間の単極検知ベクトルを用いて心臓信号を検知する工程と
を含む方法。
（付記１９）心臓信号を検知する工程が、ＳＶＴ信号とＶＴ信号とを識別する工程を含む付記１８に記載の方法。
（付記２０）リードが１つ以上のペーシング及び検知電極の少なくとも一方を含む付記１８に記載の方法。
【００１７】
上記の説明は例示を目的としており、限定的なものでないことが理解される。上記の説明を検討すれば、多くの他の実施形態が当業者に明らかであろう。したがって、本発明の範囲は添付の特許請求の範囲及び請求の範囲が享受する均等物の全範囲に関連して決定されるべきである。
【図１】
0005438687.tif 000002
【図２】
0005438687.tif 000003